(57)【要約】【課題】落下による衝撃を受けても表示体に破損が生じないようにする。【解決手段】ハニカムサンドイッチパネル３０は、第１平板と第２平板との間にハニカムコアが挟まれた構造となっている。表示体１０は、画像を表示する表示体であり、ガラス基板に設けられた電極により表示素子を駆動して画像を表示する。表示体１０は接着層４０によりハニカムサンドイッチパネル３０に取り付けられている。この接着層４０は、アクリルフォームである基材層の表面と裏面とに粘着層を有している。接着層４０は、裏面の粘着層によってハニカムサンドイッチパネル３０に粘着し、表面の粘着層に表示体１０が取り付けられる。表示体１０はハニカムサンドイッチパネル３０によって補強され、衝撃を受けても破損しにくくなる。【選択図】図２
2008276035.tif 000002
【特許請求の範囲】
【請求項１】
画像の表示に使用される複数の表示素子と、該表示素子を駆動する複数の電極を備えた基板を有する板状の表示体と、
前記表示体において前記画像が視認される表面とは反対側の裏面に設けられ、接着性を有し、外力が加えられると変形する接着層と、
ハニカムコアと、前記ハニカムコアの高さ方向の一方の端面に固着された第１平板と、前記ハニカムコアの高さ方向のもう一方の端面に固着された第２平板とを有し、前記第１平板が前記接着層に接着したハニカムパネルと、
前記表示体を駆動する回路を備え、前記第２平板において前記ハニカムコアが固着されていない側の面に対向して配置された回路基板と
を有する電子機器。
【請求項２】
画像の表示に使用される複数の表示素子と、該表示素子を駆動する複数の電極を備えた基板を有する板状の表示体と、
前記表示体において前記画像が視認される表面とは反対側の裏面に設けられ、接着性を有し、外力が加えられると変形する接着層と、
セルの高さ方向の一方の端面が前記接着層に接着されたハニカムコアと、
前記表示体を駆動する回路を備え、前記ハニカムコアにおいて前記接着層が接着されていない側の面に対向して配置された回路基板と
を有する電子機器。
【請求項３】
前記回路基板において発熱する発熱部近傍の所定領域内のハニカムコアのセルの密度と、前記所定領域外のハニカムコアのセルの密度とが異なることを特徴とする請求項１または請求項２に記載の電子機器。
【請求項４】
前記回路基板において発熱する発熱部近傍の所定領域内のハニカムコアの材質と、前記所定領域外のハニカムコアのセルの材質とが異なることを特徴とする請求項１乃至請求項３のいずれかに記載の電子機器。
【請求項５】
前記接着層を、前記回路基板において発熱する発熱部近傍の所定領域内に有しないことを特徴とする請求項１乃至請求項４のいずれかに記載の電子機器。
【請求項６】
前記電子機器を駆動するための電源部が、前記電子機器の筐体の側壁と前記ハニカムコアの側面との間に配置されていることを特徴とする請求項１乃至請求項５のいずれかに記載の電子機器。
【請求項７】
画像の表示に使用される複数の表示素子と、該表示素子を駆動する複数の電極を備えた基板を有する板状の表示体と、
ハニカムコアと、前記ハニカムコアの高さ方向の一方の端面に固着された第１平板と、前記ハニカムコアの高さ方向のもう一方の端面に固着された第２平板とを有するハニカムパネルであって、前記第１平板の周縁部に複数の鉤部を有するハニカムパネルと
を有し、
前記複数の鉤部が前記表示体の周縁部に嵌め合わされて前記ハニカムパネルが前記表示体に取り付けられていること
を特徴とする電子機器。
【請求項８】
画像の表示に使用される複数の表示素子と、該表示素子を駆動する複数の電極を備えた基板を有する板状の表示体と、
前記表示体において前記画像が視認される表面とは反対側の裏面に設けられ、接着性を
有し、外力が加えられると変形する接着層と、
ハニカムコアと、前記ハニカムコアの高さ方向の一方の端面に固着された第１平板と、前記ハニカムコアの高さ方向のもう一方の端面に固着された第２平板とを有し、前記第１平板が前記接着層に接着したハニカムパネルと
を有する表示装置。
【請求項９】
画像の表示に使用される複数の表示素子と、該表示素子を駆動する複数の電極を備えた基板を有する板状の表示体と、
前記表示体において前記画像が視認される表面とは反対側の裏面に設けられ、接着性を有し、外力が加えられると変形する接着層と、
セルの高さ方向の一方の端面が前記接着層に接着されたハニカムコアと
を有する表示装置。
【請求項１０】
板状の表示体を有する電子機器の表面を覆う保護部材と、
前記電子機器の側面を覆う側壁と、
ハニカムコアと、前記ハニカムコアの高さ方向の一方の端面に固着された第１平板と、前記ハニカムコアの高さ方向のもう一方の端面に固着された第２平板とを有し、前記第１平板が前記電子機器の裏面に脱着可能なハニカムパネルと
を有する電子機器の保護カバー。
【発明の詳細な説明】
【技術分野】
【０００１】
本発明は、表示体を補強する技術に関する。
【背景技術】
【０００２】
書籍などのコンテンツを記憶し、記憶したコンテンツを記憶性を有する表示体で表示する、所謂電子書籍端末と呼ばれる端末がある。この電子書籍端末の大きさは携帯可能な大きさであり、通常の本と同様に手で持ってコンテンツを閲覧することが可能となっているが、携帯されて持ち歩かれるとなると落下する可能性が高くなる。電子書籍端末においては、コレステリック液晶を用いた表示体などが用いられており、コレステリック液晶を駆動するためにガラス基板が用いられているが、落下した場合には衝撃を受けてガラスが割れてしまうことがある。
【０００３】
ガラスを用いた表示体の破損を防ぐ技術としては、例えば、特許文献１に開示された技術がある。特許文献１に開示されている表示体では、透明ガラスに電極が形成された第１基板と第２基板との間に液晶が封止されている。特許文献１の表示体では、この第１基板と第２基板とが片持ち支持されているため、荷重がかかっても各基板が曲げ変形し、基板が割れるのが防がれる。
【０００４】
【特許文献１】特開２００５−１７３３９３号公報
【発明の開示】
【発明が解決しようとする課題】
【０００５】
ところで、特許文献１に開示されている表示体では、液晶を封止している基板が片持ち支持されているため、曲げ変形が生じて応力が緩和されるが、一方で、支持されている部分には、荷重がかかる度に繰り返し曲げ変形が生じるため、支持部分に力が集中して破損する虞もある。
【０００６】
本発明は、上述した背景の下になされたものであり、落下による衝撃を受けても表示体に破損が生じにくい技術を提供することを目的とする。
【課題を解決するための手段】
【０００７】
上述した課題を解決するために本発明は、画像の表示に使用される複数の表示素子と、該表示素子を駆動する複数の電極を備えた基板を有する板状の表示体と、前記表示体において前記画像が視認される表面とは反対側の裏面に設けられ、接着性を有し、外力が加えられると変形する接着層と、ハニカムコアと、前記ハニカムコアの高さ方向の一方の端面に固着された第１平板と、前記ハニカムコアの高さ方向のもう一方の端面に固着された第２平板とを有し、前記第１平板が前記接着層に接着したハニカムパネルと、前記表示体を駆動する回路を備え、前記第２平板において前記ハニカムコアが固着されていない側の面に対向して配置された回路基板とを有する電子機器を提供する。
【０００８】
また、本発明は、画像の表示に使用される複数の表示素子と、該表示素子を駆動する複数の電極を備えた基板を有する板状の表示体と、前記表示体において前記画像が視認される表面とは反対側の裏面に設けられ、接着性を有し、外力が加えられると変形する接着層と、セルの高さ方向の一方の端面が前記接着層に接着されたハニカムコアと、前記表示体を駆動する回路を備え、前記ハニカムコアにおいて前記接着層が接着されていない側の面に対向して配置された回路基板とを有する電子機器を提供する。
【０００９】
本発明においては、前記回路基板において発熱する発熱部近傍の所定領域内のハニカムコアのセルの密度と、前記所定領域外のハニカムコアのセルの密度とが異なるようにしてもよい。
また、本発明においては、前記回路基板において発熱する発熱部近傍の所定領域内のハニカムコアの材質と、前記所定領域外のハニカムコアのセルの材質とが異なるようにしてもよい。
また、本発明においては、前記接着層を、前記回路基板において発熱する発熱部近傍の所定領域内に有しないようにしてもよい。
また、本発明においては、前記電子機器を駆動するための電源部が、前記電子機器の筐体の側壁と前記ハニカムコアの側面との間に配置されていてもよい。
【００１０】
また、本発明は、画像の表示に使用される複数の表示素子と、該表示素子を駆動する複数の電極を備えた基板を有する板状の表示体と、ハニカムコアと、前記ハニカムコアの高さ方向の一方の端面に固着された第１平板と、前記ハニカムコアの高さ方向のもう一方の端面に固着された第２平板とを有するハニカムパネルであって、前記第１平板の周縁部に複数の鉤部を有するハニカムパネルとを有し、前記複数の鉤部が前記表示体の周縁部に嵌め合わされて前記ハニカムパネルが前記表示体に取り付けられていることを特徴とする電子機器を提供する。
【００１１】
また、本発明は、画像の表示に使用される複数の表示素子と、該表示素子を駆動する複数の電極を備えた基板を有する板状の表示体と、前記表示体において前記画像が視認される表面とは反対側の裏面に設けられ、接着性を有し、外力が加えられると変形する接着層と、ハニカムコアと、前記ハニカムコアの高さ方向の一方の端面に固着された第１平板と、前記ハニカムコアの高さ方向のもう一方の端面に固着された第２平板とを有し、前記第１平板が前記接着層に接着したハニカムパネルとを有する表示装置を提供する。
【００１２】
また、本発明は、画像の表示に使用される複数の表示素子と、該表示素子を駆動する複数の電極を備えた基板を有する板状の表示体と、前記表示体において前記画像が視認される表面とは反対側の裏面に設けられ、接着性を有し、外力が加えられると変形する接着層と、セルの高さ方向の一方の端面が前記接着層に接着されたハニカムコアとを有する表示装置を提供する。
【００１３】
また、本発明は、板状の表示体を有する電子機器の表面を覆う保護部材と、前記電子機器の側面を覆う側壁と、ハニカムコアと、前記ハニカムコアの高さ方向の一方の端面に固着された第１平板と、前記ハニカムコアの高さ方向のもう一方の端面に固着された第２平板とを有し、前記第１平板が前記電子機器の裏面に脱着可能なハニカムパネルとを有する電子機器の保護カバーを提供する。
【発明を実施するための最良の形態】
【００１４】
図１は、本発明の実施形態に係る電子機器１の外観図である。この電子機器１は、所謂、電子書籍端末であり、電子化された書籍のデータを記憶する。電子機器１においては、画像を表示する表示体１０と、ユーザにより操作されるキー群２５とが筐体２０に配設されており、ユーザがキー群２５のキーを操作すると、記憶したデータが表す書籍の内容がユーザの操作に応じて表示体１０に表示される。
【００１５】
次に、電子機器１の内部の構成について説明する。図２は、図１のＡ−Ａ線断面図である。同図に示したように、電子機器１は筐体２０内に回路基板５０、ハニカムサンドイッチパネル３０、表示体１０を有している。
【００１６】
回路基板５０は、表示体１０を駆動するための駆動回路や電子機器１の各部を制御する
制御回路などの各種回路を有するプリント基板である。回路基板５０の各回路は、図示せぬ電源回路に接続され、電源回路から供給される電力により駆動される。また、回路基板５０は、表示体１０に接続されており、表示体１０は回路基板５０の駆動回路から供給される信号により駆動される。
【００１７】
次に表示体１０は、電気泳動素子を使用して画像表示を行う反射型の表示体である。まず、表示体１０の回路構成について説明する。図３は、表示体１０の回路構成を示した図である。図３に示したように表示体１０は、複数のソース線（ソース電極）Ｓ１〜Ｓｍ（ｍは２以上の任意の整数）と複数のゲート線（ゲート電極）Ｇ１〜Ｇｎ（ｎは、２以上の任意の整数）とがマトリックス状に交差する位置に、電気泳動素子Ｐ１１〜Ｐｍｎと、保持容量ＨＣ１１〜ＨＣｍｎと、薄膜トランジスタＴＲ１１〜ＴＲｍｎとを有する。
そして、ソース線とゲート線とが交差する各交差位置では、電気泳動素子及び保持容量は、並列接続されており、電気泳動素子の画素電極（画素電極ＰＥ１１〜ＰＥｍｎ）は、薄膜トランジスタのドレイン電極に接続されている。また、電気泳動素子Ｐ１１〜Ｐｍｎに共用される共通電極ＣＥは、接地電位に接続されており、薄膜トランジスタＴＲ１１〜ＴＲｍｎのゲート電極は、対応するゲート線Ｇ１〜Ｇｎに接続されており、薄膜トランジスタＴＲ１１〜ＴＲｍｎのソース電極は、対応するソース線Ｓ１〜Ｓｍに接続されている。
【００１８】
次に、表示体１０の構造について説明する。図４は、表示体１０の構造を模式的に示した図である、図４に示したように、表示体１０は、第１基板１００、電気泳動素子、バインダ１０１、第２基板１０２により構成されている。第１基板１００は、ガラス基板であり、表面側には画素電極が設けられている。また、第１基板１００に対向する第２基板１０２は、透明なガラス基板であり、裏面側には共通電極ＣＥが設けられている。画素電極と共通電極ＣＥの間には、電気泳動素子がバインダ１０１により固定されて配置されている。なお、図４においては、図が繁雑になるのを防ぐために電気泳動素子についてはＰ１１、Ｐ２１、Ｐ３１についてのみ符号を付し、画素電極については、ＰＥ１１、ＰＥ２１、ＰＥ３１についてのみ符号を付している。
【００１９】
この構成の下、表示体１０は、従来知られた点順次駆動方式又は線順次駆動方式に基づいて駆動される。具体的には、電気泳動素子Ｐ１１について着目して説明すると、ゲート線Ｇ１から印加されるゲート信号により、薄膜トランジスタＴＲ１１がオンに起動されると共に、ソース線Ｓ１から印加される信号により電圧が保持容量ＨＣ１１に蓄積される。そして、保持容量ＨＣ１１に規定される電圧の大きさに従って、電気泳動素子Ｐ１１の状態は“白”又は“黒”に遷移する。
【００２０】
図５は、電気泳動素子の構造及び状態を示す断面図であり、詳細には、図５（ａ）は、黒を表示する電気泳動素子の状態を示し、図５（ｂ）は、白を表示する電気泳動素子の状態を示す。電気泳動素子は、図５（ａ）、（ｂ）に示されるように、マイクロカプセル化されている。電気泳動素子は、より詳しくは、カプセル壁ＣＷとしてのポリマー膜内に、芯物質として、プラス（＋）に帯電した黒顔料粒子ＢＧ及びマイナス（−）に帯電した白顔料粒子ＷＧを有し、黒顔料粒子ＢＧ及び白顔料粒子ＷＧは、外部から与えられる電界により規定されるカプセル壁ＣＷ内での位置状態を、分散媒ＤＭにより安定的に維持される。
【００２１】
電気泳動素子は、黒を表示しようとするときには、図５（ａ）に示されるように、保持容量に従って裏面側から表面側への電界Ｅ１を与えられ、これを契機に、プラス（＋）に帯電している黒顔料粒子ＢＧは、カプセル壁ＣＷ内において表面側に近付くように移動すると共に、マイナス（−）に帯電している白顔料粒子ＷＧは、カプセル壁ＣＷ内において裏面側に近付くように移動する。このようにして、電気泳動素子は、表面側に黒を表示す
ることから、ユーザは、黒を認識することができる。
【００２２】
他方で、電気泳動素子は、白を表示しようとするときには、図５（ｂ）に示されるように、保持容量に従って表面側から裏面側への電界Ｅ２を与えられ、これを契機として、白顔料粒子ＷＧは、表面側に近付くように移動すると共に、黒顔料粒子ＢＧは、裏面側に近付くように移動する。このようにして、電気泳動素子は、表面側に白を表示することから、ユーザは、表面側に現れる白を認識することができる。
【００２３】
次に、ハニカムサンドイッチパネル３０の構成について説明する。図６は、ハニカムサンドイッチパネル３０の分解斜視図である。なお、図６においては構造を分かりやすく示すために各部の寸法は実際の寸法とは異なる寸法となっている。図６に示したように、ハニカムサンドイッチパネル３０は、第１平板３０１、第１接着層３０２、ハニカムコア３１０、第２接着層３０３、第２平板３０４により形成されている。第１平板３０１および第２平板３０４は、アルミニウムで形成された矩形の平板であり、第１平板３０１および第２平板３０４の面積は、表示体１０の第１基板１００の面積より広くなっている。ハニカムコア３１０は、アルミニウムで形成されており、本実施形態においては、蜂の巣と同様に上方から見て六角形の形状をした複数の空間（セル）が隙間無く集合した形状となっている。
【００２４】
ハニカムサンドイッチパネル３０を形成する際には、まず、第２平板３０４の表面に接着剤を塗布して第２接着層３０３を形成する。そして、この第２接着層３０３上にハニカムコア３１０の高さ方向（六角形の断面に直交する方向）の一方の端面を密着させてハニカムコア３１０を第２平板３０４に固着させる。次に、第１平板３０１のいずれか一方の面に接着剤を塗布して第１接着層３０２を形成し、ハニカムコア３１０において第２平板３０４に面している面と反対側の面に、この第１接着層３０２が形成された第１平板３０１を押しつけてハニカムコア３１０を第１平板３０１に固着させる。これにより、ハニカムコア３１０を第１平板３０１および第２平板３０４で挟んだハニカムサンドイッチパネルが形成される。
【００２５】
そして、本実施形態においては、まず、回路基板５０は、筐体２０と回路基板との距離を一定に保つためのスペーサ６０を介して筐体２０から所定距離離れた位置に固定される。また、スペーサ６０を介して回路基板５０の上方にハニカムサンドイッチパネル３０が固定される。そして、ハニカムサンドイッチパネル３０の表側にある第１平板３０１の表面に第１平板３０１と略同じ大きさの接着層４０が設けられ、この接着層４０の表面に表示体１０が載せられ、表示体１０がハニカムサンドイッチパネル３０に取り付けられる。なお、第１平板３０１の面積は、表示体１０の第１基板１００の面積より広くなっており、表示体１０は、第１平板３０１上で第１平板３０１からはみ出さないように取り付けられる。
【００２６】
また、本実施形態においては、表示体１０をハニカムサンドイッチパネル３０に取り付けるための接着層４０は、図７に示した構造となっている。図７は、接着層４０の断面を示した図である。同図に示したように、接着層４０は、基材層４０３、第１粘着層４０１および第２粘着層４０２により形成されている。第１粘着層４０１および第２粘着層４０２は、アクリル系の粘着剤である。また、基材層４０３は、アクリルフォームであり柔軟性を有している。
【００２７】
電子機器１においては、表示体１０に力が加えられることにより、表示体１０に機械的変形や振動が生じる場合がある。また、電子機器１において温度変化が生じた場合、表示体１０とハニカムサンドイッチパネル３０とは材質が異なるため、表示体１０とハニカムサンドイッチパネル３０との間では温度変化による膨張・収縮に差が生じる。
本実施形態に係る電子機器１においては、表示体１０が接着層４０によってハニカムサンドイッチパネル３０に取り付けられるため、表示体１０は面で支えられて曲げ剛性が高くなり、表示体１０のガラス基板（第１基板１００および第２基板１０２）が破損しにくくなる。また、電子機器１においては、表示体１０をハニカムサンドイッチパネル３０に取り付けるための接着層４０は柔軟性を有する基材層４０３を有しているため、機械的変形や、温度変化によるハニカムサンドイッチパネル３０と表示体１０との膨張・収縮の差も吸収され破損の可能性が低くなる。
【００２８】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００２９】
表示体１０は、電気泳動素子を使用して画像表示を行う装置に限定されるものではなく、例えば、液晶を用いて表示を行う表示体であってもよい。また、表示体１０は、ガラス基板ではなく、曲げることが可能な透明フィルム上に各種電極や回路を構成したものであってもよい。また、表示体１０は反射型の表示体に限定されるものではなく、バックライトを備えた液晶表示体や、有機ＥＬ（Electro Luminescence）を用いた自発光型の表示体であってもよい。
【００３０】
上述した実施形態においては、接着層４０の基材層４０３は、力が加えられた時に変形するものであればよく、アクリルフォーム以外の材質であってもよい。また接着層４０は、力が加えられた時に変形するものであればよく、硬化した時に弾性を有する弾性接着剤や合成ゴム系接着剤であってもよい。
【００３１】
上述した実施形態においては、ハニカムコア３１０のセルの形状は六角形となっているが、ハニカムコアのセルの形状は六角形に限定されるものではない。例えば、矩形（図８（ａ））、波形（図８（ｂ））、六角形の中央部分を半分に区切った形（図８（ｃ）、
山形（図８（ｄ））、丸型（図８（ｅ））など他の形状であってもよい。また、ハニカムサンドイッチパネルを構成する第１平板３０１、第２平板３０４およびハニカムコア３１０の材質は、アルミニウムに限定されるものではない。例えば、紙であってもよく、また、ステンレス、チタンなど他の金属であってもよい。また、プラスチック、繊維強化プラスチック、カーボン繊維を含む樹脂などであってもよい。
【００３２】
上述した実施形態においては、ハニカムサンドイッチパネル３０を表示体１０に取り付けているが、第１平板３０１を設けず、第２平板３０４をスペーサ６０側にして固定すると共に、ハニカムコア３１０の上に接着層４０を形成し、この接着層４０に表示体１０を取り付けるようにしてもよい。また、スペーサ６０を介して回路基板５０の上方にハニカムコア３１０を固定し、この固定されたハニカムコア３１０の上方に接着層４０を形成し、この接着層４０に表示体１０を取り付けるようにしてもよい。
【００３３】
上述した実施形態においては、ユーザから見て表示体１０の背面にハニカムサンドイッチパネル３０を取り付けているが、図９に示したように、電子機器１の背面にハニカムサンドイッチパネル３０を取り付けるようにしてもよい。
ここで、電子機器１の背面にハニカムサンドイッチパネル３０を取り付ける際には、ネジによりハニカムサンドイッチパネル３０を電子機器１に固定するようにしてもよい。
また、ハニカムサンドイッチパネル３０の第１平板３０１の周縁部に図１０（ａ）に示した鉤状部材３１を設けると共に、電子機器１の筐体２０の背面側に、この鉤状部材３１が嵌め合わされる穴を設け、鉤状部材３１を筐体２０の背面側の穴に嵌め合わせて鉤状部材３１でハニカムサンドイッチパネル３０を筐体２０に固定するようにしてもよい。
また、表示体１０の背面にハニカムサンドイッチパネル３０を取り付ける構成においても、ハニカムサンドイッチパネル３０の周縁部に鉤状部材３１を設け、図１０（ｂ）に示したように、表示体１０の第１基板１００の周縁部に鉤状部材３１を引っ掛けることにより表示体１０をハニカムサンドイッチパネル３０に取り付けるようにしてもよい。
【００３４】
上述した実施形態においては、図１１（ａ）、図１１（ｂ）に示したように、電子機器１を保護する保護カバー７０を電子機器１に取り付けるようにしてもよい。この保護カバー７０においては、図１１（ａ）に示したように電子機器１の背面側にのみハニカムサンドイッチパネル３０を設けるようにしてもよいし、図１１（ｂ）に示したように、電子機器１の表側を覆う保護部材にもハニカムサンドイッチパネル３０を設けるようにしてもよい。また、この保護カバーは脱着可能なものであってもよい。
【００３５】
上述した実施形態においては、電子機器１を駆動するための電源となる電池８０は、図１２に示したように、表示体１０、ハニカムサンドイッチパネル３０および回路基板５０と重ならない位置に配置するのが好ましい。
【００３６】
回路基板５０においては、回路が有する部品によって発熱し、他の回路部分より温度が高くなる部分（発熱部）がある。この回路の近傍部分においては、ハニカムサンドイッチパネル３０と表示体１０との間に接着層４０を設けないようにしてもよい。また、接着層４０は、第１平板３０１の表面全体に設けるのではなく、第１平板３０１の周縁部または中央部など、第１平板３０１の一部分にのみ接着層４０を設けて表示体１０をハニカムサンドイッチパネル３０に取り付けるようにしてもよい。
また、回路基板５０の上方に固定されたハニカムサンドイッチパネル３０において、回路基板５０の発熱部の近傍部分と他部分とでハニカムコア３１０のセルの大きさを異ならせてもよい。具体的には、発熱部の近傍の所定領域内においてはセルの大きさを小さくしてセルの密度を密とし、他部分においてはセルの大きさを大きくしてセルの密度を粗としてもよい。
また、ハニカムコア３１０のセルの壁に穴を空けてセルの内部の空気が他のセルに移動できるようにしてもよい。
また、ハニカムコア３１０においては、回路基板５０の発熱部の近傍部分と他部分とで熱伝導性の異なる部材を用いてセルを形成するようにしてもよい。例えば、発熱部の近傍の所定領域内においては、他部分より熱伝導性の高い部材を用いてセルを形成するようにしてもよい。
【００３７】
上述した実施形態においては、表示体１０の背面全体をハニカムサンドイッチパネル３０に取り付けているが、表示体１０の背面全体を支えなくてもよい。例えば、表示体１０の背面側の中央部分の領域にのみハニカムサンドイッチパネル３０を取り付けるようにしてもよいし、表示体１０の周縁部分の領域にのみハニカムサンドイッチパネル３０を取り付けるようにしてもよい。
【００３８】
本発明においては、ハニカムサンドイッチパネル３０を接着層４０で表示体１０の裏面に取り付けてユニット化し、ユニット化された表示装置を筐体２０に取り付けるようにしてもよい。また、ハニカムコア３１０を接着層４０で表示体１０の裏面に取り付けてユニット化し、ユニット化された表示装置を筐体２０に取り付けるようにしてもよい。
【図面の簡単な説明】
【００３９】
【図１】本発明の一実施形態に係る電子機器１の外観図である。
【図２】図１のＡ−Ａ線断面図である。
【図３】表示体１０の回路構成を示した図である。
【図４】表示体１０の構造を模式的に示した図である。
【図５】電気泳動素子の構造及び状態を示した図である。
【図６】ハニカムサンドイッチパネル３０の分解斜視図である。
【図７】接着層４０の構造を示した断面図である。
【図８】変形例に係るハニカムコア３１０のセルの形状を例示した図である。
【図９】変形例に係る電子機器１の外観図である。
【図１０】変形例に係るハニカムサンドイッチパネル３０の部分拡大図である。
【図１１】変形例に係る電子機器１の外観図である。
【図１２】電子機器１を駆動する電池の位置を示した図である。
【符号の説明】
【００４０】
１・・・電子機器、１０・・・表示体、２０・・・筐体、２５・・・キー群、３０・・・ハニカムサンドイッチパネル、３１・・・鉤状部材、４０・・・粘着層、５０・・・回路基板、６０・・・スペーサ、７０・・・保護カバー、８０・・・電池、１００・・・第１基板、１０１・・・バインダ、１０２・・・第２基板、３０１・・・第１平板、３０２・・・第１接着層、３０３・・・第２接着層、３０４・・・第２平板、４０１・・・第１粘着層、４０２・・・第２粘着層、４０３・・・基材層
【図１】
2008276035.tif 000003
【図２】
2008276035.tif 000004
【図３】
2008276035.tif 000005
【図４】
2008276035.tif 000006
【図５】
2008276035.tif 000007
【図６】
2008276035.tif 000008
【図７】
2008276035.tif 000009
【図８】
2008276035.tif 000010
【図９】
2008276035.tif 000011
【図１０】
2008276035.tif 000012
【図１１】
2008276035.tif 000013
【図１２】
2008276035.tif 000014